【手続補正書】
【提出日】平成20年9月4日(2008.9.4)
【手続補正１】
【補正対象書類名】明細書
【補正対象項目名】特許請求の範囲
【補正方法】変更
【補正の内容】
【特許請求の範囲】
【請求項１】  自装置と接続された端末が要求する所定のファイルまたはコンテンツをＩＰ（Ｉｎｔｅｒｎｅｔ  Ｐｒｏｔｏｃｏｌ）ネットワークを介して自立的に収集する通信装置であって、
前記所定のファイルまたはコンテンツを所定のサイトから所定のタイミングでダウンロードする要求を受付けるダウンロード要求受付手段と、
前記端末と有線または無線により自装置と接続する端末接続手段と、
前記ダウンロード要求受付手段が受付けた要求のダウンロードの優先順位を管理する優先順位管理手段と、
前記ダウンロード要求受付手段が受付けた要求のダウンロードのアクセス先を、前記優先順位管理手段が管理する優先順位に従って定期的に巡回し、該アクセス先のファイルまたはコンテンツが更新されているか否かを判定する更新判定手段と、
前記更新判定手段が更新されていると判定したファイルまたはコンテンツをダウンロードするダウンロード手段と、
前記ダウンロード手段がダウンロードしたファイルまたはコンテンツを自装置内部または外部のメモリに蓄積する蓄積手段と、
自装置に接続された前記端末からの要求に応じて、前記蓄積手段に蓄積されたファイルまたはコンテンツを前記端末へ転送する転送手段と、を有する
ことを特徴とするダウンロード機能を有する通信装置。
【請求項２】  請求項１に記載の通信装置であって、
前記更新判定手段がファイルまたはコンテンツが更新されていると判定した場合に、更新情報を表示する更新情報表示手段、または、前記ＩＰネットワークを介して接続された他の装置へ更新情報を通知する更新情報通知手段をさらに有する
ことを特徴とするダウンロード機能を有する通信装置。
【請求項３】  請求項１に記載の通信装置であって、
前記所定のファイルまたはコンテンツのダウンロードが完了する以前に、次のファイルまたはコンテンツをダウンロードすべきタイミングが到来または近接した場合に、
前記優先順位管理手段は、前記次のファイルまたはコンテンツのダウンロードを優先するよう管理し、
前記ダウンロード手段は、前記ダウンロードが完了する以前のファイルまたはコンテンツのダウンロードを中断し、前記次のファイルまたはコンテンツのダウンロードが完了した後または予め定められた時間が経過した後に、前記中断したダウンロードを中断した個所からダウンロードを再開する
ことを特徴とするダウンロード機能を有する通信装置。
【手続補正２】
【補正対象書類名】明細書
【補正対象項目名】０００４
【補正方法】変更
【補正の内容】
【０００４】
音楽や画像などの容量の大きなファイルを、ＷＷＷサーバ５からインターネット７を介してダウンロードするには、長い時間がかかる。したがって、例えば、常時接続サービスを使用する場合には、ユーザが通信回線を使用していない深夜などの時間帯を使用して端末装置３に目的とするファイルを自動的にダウンロードすることが望ましい。しかしながら、端末装置３が使用を停止しているときには、通信回線７が使用されていないにもかかわらずＷＷＷサーバ５からファイルをダウンロードすることはできなかった。このような状況下でファイルをダウンロードするには、使用していない端末装置をダウンロードのためだけに動作させることが必要であった。
【手続補正３】
【補正対象書類名】明細書
【補正対象項目名】０００６
【補正方法】変更
【補正の内容】
【０００６】
【課題を解決するための手段】
上記課題を解決するために、本発明は、自装置と接続された端末が要求する所定のファイルまたはコンテンツをＩＰ（Ｉｎｔｅｒｎｅｔ  Ｐｒｏｔｏｃｏｌ）ネットワークを介して自立的に収集する通信装置であって、前記所定のファイルまたはコンテンツを所定のサイトから所定のタイミングでダウンロードする要求を受付けるダウンロード要求受付手段と、前記端末と有線または無線により自装置と接続する端末接続手段と、前記ダウンロード要求受付手段が受付けた要求のダウンロードの優先順位を管理する優先順位管理手段と、前記ダウンロード要求受付手段が受付けた要求のダウンロードのアクセス先を、前記優先順位管理手段が管理する優先順位に従って定期的に巡回し、該アクセス先のファイルまたはコンテンツが更新されているか否かを判定する更新判定手段と、前記更新判定手段が更新されていると判定したファイルまたはコンテンツをダウンロードするダウンロード手段と、前記ダウンロード手段がダウンロードしたファイルまたはコンテンツを自装置内部または外部のメモリに蓄積する蓄積手段と、自装置に接続された前記端末からの要求に応じて、前記蓄積手段に蓄積されたファイルまたはコンテンツを前記端末へ転送する転送手段と、を有することを特徴とするダウンロード機能を有する通信装置である。
【手続補正４】
【補正対象書類名】明細書
【補正対象項目名】０００７
【補正方法】変更
【補正の内容】
【０００７】
また、本発明は、前記通信装置であって、前記更新判定手段がファイルまたはコンテンツが更新されていると判定した場合に、更新情報を表示する更新情報表示手段、または、前記ＩＰネットワークを介して接続された他の装置へ更新情報を通知する更新情報通知手段をさらに有することを特徴とするダウンロード機能を有する通信装置である。
【手続補正５】
【補正対象書類名】明細書
【補正対象項目名】０００８
【補正方法】変更
【補正の内容】
【０００８】
そして、本発明は、前記通信装置であって、前記所定のファイルまたはコンテンツのダウンロードが完了する以前に、次のファイルまたはコンテンツをダウンロードすべきタイミングが到来または近接した場合に、前記優先順位管理手段は、前記次のファイルまたはコンテンツのダウンロードを優先するよう管理し、前記ダウンロード手段は、前記ダウンロードが完了する以前のファイルまたはコンテンツのダウンロードを中断し、前記次のファイルまたはコンテンツのダウンロードが完了した後または予め定められた時間が経過した後に、前記中断したダウンロードを中断した個所からダウンロードを再開することを特徴とするダウンロード機能を有する通信装置である。
【手続補正６】
【補正対象書類名】明細書
【補正対象項目名】０００９
【補正方法】削除
【補正の内容】
【手続補正７】
【補正対象書類名】明細書
【補正対象項目名】００７１
【補正方法】変更
【補正の内容】
【００７１】
ファイルのダウンロードには、取得時間の設定が行えるが、毎日や毎週・毎月といった定期的取得も実施できる。この場合、ダウンロード制御は、ファイルをダウンロードする際ファイルのタイムスタンプ（日時）を見て以前取得したものから更新されているのかを判断する。更新されている場合、設定されているメールアドレスへメールとして通知することができる。これは、定期的に取得する機能は、本装置が自立的に行っているため、更新されているか否かの認識は通常ユーザが行う必要があるが、本機能によりユーザの携帯電話機などのメールアドレスへ通知することができ、外出先でも更新情報を知ることができる。
【手続補正８】
【補正対象書類名】明細書
【補正対象項目名】００７２
【補正方法】変更
【補正の内容】
【００７２】
通信装置は、格納している広告データやニュース情報などを、接続された端末装置に対して配信する機能を有する。コンテンツなどのダウンロードは、内部や外部のメモリへ格納される。この情報が広告データやニュースなどの場合、接続している端末装置へ送信することにより、広告データを配信することができる。通常、それぞれの端末装置をインターネットに接続した場合には、インターネットからニュースや広告を取得して表示することができるが、それぞれの端末装置について接続料金がかかってしまう。本発明によれば、通信装置１にニュースや広告を取得し、端末装置に対して配信するので、オフラインで端末装置に対してニュースや広告を表示することができる。